(57)【要約】【課題】ターンテーブルがディスクと確実に係合することができるとともに、ターンテーブルから解放されたディスクがディスクガイドに乗り上げることを抑制することができるディスクトレイおよびディスク装置を提供すること。【解決手段】ディスクガイド４は、ターンテーブル３０のクランプ時中心Ｙを中心とする円に基づいて形成されており、この円の半径がディスクＤの半径Ｄｒにターンテーブル３０の係合時中心Ｙからクランプ時中心Ｘまでの距離Ｈ１を加えた距離とほぼ同一の距離である。【選択図】        図２
2006107605.tif 000002
【特許請求の範囲】
【請求項１】
ターンテーブルが揺動することで、当該ターンテーブルと係合した後、クランプされるディスクが載置される載置領域を形成するディスクガイドを有するディスクトレイにおいて、
前記載置領域は、
前記ディスクの中心孔と係合した状態における前記ターンテーブルの係合時中心に中心を有し、かつ当該ディスクの半径に相当する半径を有する第１の円と、
前記ディスクをクランプした状態における前記ターンテーブルのクランプ時中心に中心を有し、かつ当該ディスクの半径に相当する半径を有する第２の円と、
を合わせた領域を含むことを特徴とするディスクトレイ。
【請求項２】
前記ディスクガイドは、前記ターンテーブルのクランプ時中心に中心を有し、かつ前記ディスクの半径に当該ターンテーブルの係合時中心からクランプ時中心までの距離を加えた距離とほぼ同一の距離を半径とする円に基づいて形成されていることを特徴とする請求項１に記載のディスクトレイ。
【請求項３】
前記ディスクガイドは、前記ディスクトレイのディスク搬送方向と直交する方向に対向し、かつディスク搬送方向に延在するストレート部を有することを特徴とする請求項２に記載のディスクトレイ。
【請求項４】
前記ディスクガイドは、前記ディスクトレイのディスク搬送方向のうち前記ターンテーブルが支持されている支持軸側に、ディスク搬送方向と直交する方向に延在するストレート部を有することを特徴とする請求項２または３に記載のディスクトレイ。
【請求項５】
前記ディスクガイドの内側から外側まで形成される開口部を備え、
前記ストレート部は、前記開口部を挟んで形成され、かつ当該開口部まで延在していることを特徴とする請求項４に記載のディスクトレイ。
【請求項６】
前記ディスクガイドの前記クランプ時中心よりもディスク搬送方向のうち前記ターンテーブルが支持されている支持軸側は、前記ターンテーブルのクランプ時中心に中心を有し、かつ前記ディスクの半径とほぼ同一の距離を半径とする円に基づいて形成され、
前記ディスクガイドの前記クランプ時中心よりもディスク搬送方向のうち前記ターンテーブルが支持されている支持軸側と反対側は、前記ターンテーブルの係合時中心に中心を有し、かつ前記ディスクの半径とほぼ同一の距離を半径とする円に基づいて形成されていることを特徴とする請求項１に記載のディスクトレイ。
【請求項７】
前記ディスクガイドは、前記ディスクトレイのディスク搬送方向と直交する方向に対向し、かつディスク搬送方向に延在するストレート部を有することを特徴とする請求項６に記載のディスクトレイ。
【請求項８】
対向する前記ストレート部の間隔は、前記ディスクの直径とほぼ同一であることを特徴とする請求項２または７に記載のディスクトレイ。
【請求項９】
少なくとも前記請求項１〜８のいずれか１項に記載のディスクトレイと、
前記ディスクトレイをディスク装置内外に搬送するトレイ駆動手段と、
前記ディスクトレイの前記ディスクガイド内に載置されたディスクと係合し、クランプするターンテーブルと、
前記ターンテーブルを回転させるディスク回転駆動手段と、
前記ターンテーブルを前記ディスクトレイに対して揺動させるテーブル揺動手段と、
を備えることを特徴とするディスク装置。
【発明の詳細な説明】
【技術分野】
【０００１】
本発明は、ディスクトレイおよびディスク装置に関し、さらに詳しくは、ディスクを搬送するディスクトレイおよびこのディスクトレイにより搬送されたディスクを回転駆動するディスク装置に関するものである。
【背景技術】
【０００２】
従来、ディスク装置は、ＤＶＤ（Digital Versatile Disk）やＣＤ（Compact Disk）などのディスクをディスクトレイに載置し、図示しないトレイ駆動装置を駆動することで、載置されたディスクをこのディスク装置内に搬送する。次に、ディスク装置は、このディスク装置内に搬送されたディスクをターンテーブルにクランプさせるとともに回転駆動する。具体的には、例えばこのターンテーブルをディスクトレイに対して揺動させて、ターンテーブルをディスクトレイに載置されたディスクと係合させ、さらに揺動させて係合したディスクをクランプさせる。そして、ディスクをクランプしたターンテーブルをディスク回転駆動装置により回転駆動する。このとき、ターンテーブルは、ディスクトレイに対して揺動するため、このディスクと係合する状態における位置と、このディスクをクランプする状態における位置が異なる。そこで、ターンテーブルがディスクトレイに載置されたディスクと確実に係合するために、例えば特許文献１に示すようなディスク装置が提案されている。
【０００３】
特許文献１に示すディスク装置は、ディスクトレイにディスクを保持するためのディスクガイドが形成されており、このディスクガイドの中心を、ターンテーブルがディスクトレイに載置されたディスクと係合する際におけるこのターンテーブルの中心とほぼ一致するように配置したものである。つまり、ディスクトレイのディスクガイド中心とターンテーブルの中心位置とが、ターンテーブルのディスク係合時に一致するようにしている。従って、ターンテーブルをディスクの中心穴に対して適性に係合させることができ、しかも、ディスクをクランプした状態から、ディスクをディスクトレイに載置する、すなわちディスクを解放する場合にも、ディスクをディスクトレイのディスクガイドに適正に保持させることができる。これにより、ターンテーブルによりディスクの昇降動作を著しく円滑に行うことができるものである。
【０００４】
【特許文献１】実公平３−１３００３４号公報
【発明の開示】
【発明が解決しようとする課題】
【０００５】
しかしながら、上記従来のディスク装置では、ディスクガイドをこのディスクガイド内に載置されるディスクの半径とほぼ同一の半径の円に基づいて形成する必要がある。これは、ディスクガイドの中心をディスクと係合する状態における前記ターンテーブルの係合時中心とほぼ一致させても、ディスクガイド内でディスクが移動することで、ディスクガイドの中心とディスクの中心とが一致せずに、ターンテーブルがディスクと確実に係合できない虞があるためである。つまり、ディスクガイド内に載置されたディスクがこのディスクガイド内で移動することを規制するために、ディスクガイドを載置されるディスクの半径とほぼ同一の半径の円に基づいて形成する。
【０００６】
図１（ａ）は、従来のディスク装置を示す図である。図１（ｂ）は、従来のディスク装置の問題点を示す図である。図１（ａ）に示すように、ターンテーブル２００は、クランプした状態のディスクＤをディスクトレイ１００のディスクガイド１０１内に載置するために、図示しない支持軸を中心に矢印Ａ方向に揺動する。ここで、従来のディスクガイド１０１は、その中心１０１ｃがターンテーブル２００の係合時中心Ｙと一致し、ディスクガイド１０１内に載置されるディスクＤの半径Ｄｒとほぼ同一の半径ｒの円に基づいて形成されている。ターンテーブル２００がクランプした状態におけるディクスＤの中心Ｄｃは、ターンテーブル２００のクランプ時中心Ｘと一致し、ディスクガイド１０１の中心１０１ｃよりもディスク搬送方向Ｂの支持軸側ずれた状態となる。これにより、このディスクＤのうち、ディスク搬送方向Ｂの支持軸側の端部Ｄｔは、ディスクガイド１０１の中心１０１ｃの軸線方向視おいて、ディスクガイド１０１からディスク搬送方向Ｂの支持軸側にはみ出した状態となる。
【０００７】
上記状態で、ターンテーブル２００が矢印Ａ方向にさらに揺動すると、図１（ｂ）に示すように、ディスクＤのターンテーブル２００をこのディスクＤをクランプする状態が解除され、係合された状態のディスクＤがディスクガイド１０１に向かって移動する。しかしながら、このディスクガイド１０１からディスク搬送方向Ｂの支持軸側にはみ出した状態の端部Ｄｔがディスクガイド１０１内に収まらず、このディスクガイド１０１に乗り上げる虞がある。そして、この状態のまま、ターンテーブル２００が矢印Ａ方向にさらに揺動すると、図示は省略するが係合された状態のディスクＤのうち、ディスク搬送方向Ｂの支持軸側と反対側の端部Ｄｓがディスクガイド１０１の底部１０１ｂに接触する。これにより、ディスクＤがターンテーブル２００との係合を解除され、すなわちターンテーブル２００から解放されるが、このディスクＤは、ディスク搬送方向Ｂの支持軸側の端部Ｄｔがディスクガイド１０１に乗り上げた状態のまま、ディスクガイド１０１内に載置される虞がある。
【０００８】
この発明は、上述した課題をその一例として解決するものであって、ターンテーブルがディスクと確実に係合することができるとともに、ターンテーブルから解放されたディスクがディスクガイドに乗り上げることを抑制することができるディスクトレイおよびディスク装置を提供することを目的とする。
【課題を解決するための手段】
【０００９】
本発明の請求項１に記載のディスクトレイは、ターンテーブルが揺動することで、当該ターンテーブルと係合した後、クランプされるディスクが載置される載置領域を形成するディスクガイドを有するディスクトレイにおいて、前記載置領域は、前記ディスクの中心孔と係合した状態における前記ターンテーブルの係合時中心に中心を有し、かつ当該ディスクの半径に相当する半径を有する第１の円と、前記ディスクをクランプした状態における前記ターンテーブルのクランプ時中心に中心を有し、かつ当該ディスクの半径に相当する半径を有する第２の円と、を合わせた領域を含むことを特徴とする。
【００１０】
また、本発明の請求項９に記載のディスク装置は、少なくとも前記請求項１〜８のいずれか１項に記載のディスクトレイと、前記ディスクトレイをディスク装置内外に搬送するトレイ駆動手段と、前記ディスクトレイの前記ディスクガイド内に載置されたディスクと係合し、クランプするターンテーブルと、前記ターンテーブルを回転させるディスク回転駆動手段と、前記ターンテーブルを前記ディスクトレイに対して揺動させるテーブル揺動手段と、を備えることを特徴とする。
【発明を実施するための最良の形態】
【００１１】
以下、この発明につき図面を参照しつつ詳細に説明する。なお、下記実施の形態によりこの発明が限定されるものではない。また、下記実施の形態における構成要素には、当業者が容易に想定できるもの或いは実質的に同一のものが含まれる。ここで、以下に説明では、大きさの異なる２種類の光ディスクを載置することができるディスクトレイおよびディスク装置について説明するが、この発明はこれに限定されるものではなく、１種類の光ディスクのみを載置することができるディスクトレイおよびディスク装置であっても良い。また、以下の説明では、ＤＶＤやＣＤなどのディスクを対象とするディスクトレイおよびディスク装置について説明するが、この発明はこれに限定されるものはなく、磁気ディスク、光磁気ディスクなどの光や磁気などにより情報を再生あるいは記録可能ないずれのディスクを対象とすることができる。
【００１２】
（実施の形態１）
図２は、実施の形態１にかかるディスクトレイを備えるディスク装置の構成例を示す図である。図３は、基準位置におけるターンテーブルとディスクとの関係を示す一部断面図である。図４は、接触位置におけるターンテーブルとディスクとの関係を示す一部断面図である。図５は、係合位置におけるターンテーブルとディスクとの関係を示す一部断面図である。図６は、クランプ位置におけるターンテーブルとディスクとの関係を示す一部断面図である。図７は、実施の形態１にかかるディスクガイドの載置領域を示す図である。この実施の形態１にかかるディスクトレイ１−１は、ディスクＤを回転駆動させることにより、このディスクに情報を記録あるいは記録された情報を再生するディスク装置１０に備えられるものである。
【００１３】
このディスク装置１０は、実施の形態１にかかるディスクトレイ１−１の他に、少なくともトレイ駆動手段であるトレイ駆動装置２０と、ターンテーブル３０と、ディスク回転駆動手段であるディスク回転駆動装置４０と、テーブル揺動手段であるテーブル揺動装置５０とにより構成されている。なお、６０は、ディスクＤに情報を記録あるいは記録された情報を再生する光センサを有する再生手段である光ピックアップである。この光ピックアップ６０は、ディスクＤに対して相対的に移動させるセンサ移動手段である図示しないセンサ移動装置を介してテーブル揺動装置５０に配設されている。また、７０は、上記ディスク装置１０の構成要素が内部に配設されて枠体である。この枠体７０は、さらに図示しないケース体内に配設されている。また、ディスク装置１０は、トレイ駆動装置２０、ディスク回転駆動装置４０、テーブル揺動装置５０、光ピックアップ６０などの駆動を制御する制御手段である制御装置を備えていても良い。
【００１４】
ディスクトレイ１−１には、大きさの異なる２種類のディスクＤ（大きいディスクは図示略）を載置できるように、２つの大きさのディスクガイド３，４が形成されている。このディスクトレイ１−１には、ディスクトレイ１−１の表面（図２における紙面に対して上側）から裏側の面まで貫通する開口部５が、上記ディスクガイド３，４の内側から外側まで形成されている。
【００１５】
ディスクガイド３は、図示しない大きいディスク、例えば直径１２ｃｍのディスクを載置するものである。このディスクガイド３は、ディスクトレイ１−１の表面２からこのキャビティー面２と裏側の面に向かって窪んで形成されている。
【００１６】
また、ディスクガイド３は、ターンテーブル３０のクランプ時中心Ｘに中心を有し、かつ図示しない大きいディスクの半径とほぼ同一の距離、すなわち若干大きい距離を半径とする円に基づいて形成されている。つまり、ディスクガイド３により形成される大きいディスクを載置する載置領域（ディスクトレイ１−１に開口部５が形成されていないと仮定する場合の載置領域）は、中心がターンテーブル３０のクランプ時中心Ｘと一致し、かつ半径が図示しない大きいディスクの半径である円の領域よりも若干大きい領域となる。ここで、「ターンテーブル３０のクランプ時中心Ｘ」とは、ターンテーブル３０がディスクＤをクランプした状態（ディスクＤを回転駆動させる状態）におけるこのターンテーブル３０の中心位置をいう（図６参照）。また、「ほぼ同一の距離、若干大きい距離」とは、ディスクガイド３にディスクＤを載置するに際し考慮されるクリアランスを考慮した距離であり、例えば直径１２ｃｍのディスクに対するディスクガイドにおいては、０．５〜１．５ｍｍ程度のクリアランスが付加された直径となる。
【００１７】
ディスクガイド４は、上記図示しない大きいディスクよりも小さいディスクＤ（図１〜６では、二点鎖線）、例えば直径８ｃｍのディスクを載置するものである。このディスクガイド４は、上記ディスクガイド３の底部３ａからディスクトレイ１−１の裏側方向に向かって窪んで形成されている。
【００１８】
また、ディスクガイド４は、ターンテーブル３０のクランプ時中心Ｘに中心Ｃ１を有し、かつディスクＤの半径Ｄｒに上記ターンテーブル３０の係合時中心Ｙからクランプ時中心Ｘまでの距離Ｈ１を加えたとほぼ同一の距離、すなわち若干大きい距離を半径Ｒ１とする円に基づいて形成されている。つまり、図７に示すように、ディスクガイド４により形成されるディスクＤを載置する載置領域Ｅ（ディスクトレイ１−１に開口部５が形成されていないと仮定する場合の載置領域であり、同図では、実線と二点鎖線とを合わせた領域）は、中心Ｃ１がターンテーブル３０のクランプ時中心Ｘと一致し、かつ半径Ｒ１がディスクＤの半径ＤｒにＨ１（係合時中心Ｙからクランプ時中心Ｘ間での距離）を加えた円の領域よりも若干大きい領域となる。従って、ディスクガイド４の載置領域Ｅは、同図に示すように、ターンテーブル３０の係合時中心Ｙに中心を有し、かつディスクＤの半径Ｄｒに相当する半径を有する第１の円の領域Ｆ（同図では、一点鎖線）と、ターンテーブル３０のクランプ時中心Ｘに中心を有し、かつディスクＤの半径Ｄｒに相当する半径を有する第２の円の領域Ｇ（同図では、一点鎖線）と、合わせた領域を含むものとなる。ここで、「ターンテーブル３０の係合時中心Ｙ」とは、ターンテーブル３０がディスクＤと係合した状態におけるこのターンテーブル３０の中心位置をいう（図５参照）。
【００１９】
また、ディスクガイド４には、図２に示すように、ディスクトレイ１−１がトレイ駆動装置２０により移動する方向であるディスク搬送方向Ｂと直交する方向（以下、単に「直交方向」と称する）Ｋに対向する２つの長さ方向ストレート部４ａ（以下、単に「ストレート部４ａ」とも称する）が形成されている。なお、このストレート部４ａは、ディスク搬送方向Ｂに延在するように形成されている。
【００２０】
ここで、図７に示すように、対向するストレート部４ａの間の距離である幅Ｗ１がディスクトレイ４を形成する円の直径（Ｒ１×２）よりも短くないと、ディスクガイド４に長さ方向ストレート部４ａを形成することができない。従って、ディスクガイド４に対向するストレート部４ａを形成することで、直交方向Ｋにおけるディスクガイド４とディスクＤとの間隔を狭くすることができる。つまり、ディスクガイド４内に載置されたディスクＤの直交方向Ｋへの移動を規制することができるので、ターンテーブル３０に対するディスクトレイ１−１のディスクガイド４に載置されたディスクＤが直交方向Ｋへずれることを抑制することができる。これにより、ターンテーブル３０がディスクＤとより確実に係合することができる。なお、幅Ｗ１がこのディスクガイド４内に載置されるディスクＤの直径（Ｄｒ×２）よりも長くないと、載置するディスクＤが直交方向Ｋにおいてディスクガイド４に乗り上げてしまう。つまり、この対向するストレート部４ａは、幅Ｗ１がディスクトレイ４の直径未満で、載置されるディスクＤの直径以上となるように形成されることが好ましい。なお、この幅Ｗ１（互いに対向するストレート部の間隔）は、ディスクＤの直径とほぼ同一であることが好ましく、この「ほぼ同一」とは、上述のクリアランスを付加した長さを意味する。
【００２１】
また、ディスクガイド４は、ディスク搬送方向Ｂのうち、後述するターンテーブル３０が支持されている支持軸側に幅方向ストレート部４ｂ（以下、単に「ストレート部４ｂ」とも称する）が形成されている。このストレート部４ｂは、ディスクトレイ１−１に形成された開口部５を挟んで形成されている。開口部５を挟んで形成されるストレート部４ｂは、直交方向Ｋに延在しており、開口部５まで延在するように形成されている。
【００２２】
ここで、図７に示すように、ストレート部４ｂは、ディスク搬送方向Ｂにおいて、ターンテーブル３０のクランプ時中心Ｘよりも支持軸側で、ディスクガイド４を形成する円（載置領域Ｅ）よりも内側に形成されている。従って、ディスクガイド４内に載置されたディスクＤのディスク搬送方向Ｂにおける支持軸側への移動を規制することができるので、ターンテーブル３０に対するディスクトレイ１−１のディスクガイド４に載置されたディスクＤがディスク搬送方向Ｂにおける支持軸側へずれることを抑制することができる。これにより、ターンテーブル３０がディスクＤとより確実に係合することができる。なお、ストレート部４ｂがターンテーブル３０のクランプ時中心Ｘに中心を有し、かつディスクＤの半径Ｄｒにほぼ相当する半径を有する第２の円（領域Ｇ）よりも外側に形成されていないと、載置するディスクＤがディスク搬送方向Ｂにおける支持軸側においてディスクガイド４に乗り上げてしまう虞がある。つまり、ストレート部４ｂは、ディスクトレイ４を形成する円（載置領域Ｅ）と、ストレート部４ｂがターンテーブル３０のクランプ時中心Ｘに中心を有し、かつディスクＤの半径Ｄｒにほぼ相当する半径を有する第２の円（領域Ｇ）との間の範囲内に形成されることが好ましい。
【００２３】
次に、実施の形態１にかかるディスク装置１０の動作について説明する。まず、ディスクＤをディスク装置１０内で回転駆動させるために、トレイ駆動装置２０により、このディスクＤがディスクガイド４内に載置されたディスクトレイ１−１をディスク装置１０内に搬送する。ディスクトレイ１−１がディスク装置１０内に搬送されると、図３に示すように、ディスクガイド４内に載置されたディスクＤのディスク中心穴Ｄｈの直下にターンテーブル３０の突起部３２が位置する状態となり、ターンテーブル３０が基準位置となる。次に、テーブル揺動装置５０のモータ５３により、台座部５１が図示しない支持軸５２を中心に矢印Ｌ方向に揺動を開始し、それとともにターンテーブル３０も図示しない支持軸５２を中心に矢印Ｌ方向に揺動を開始する。
【００２４】
さらに、ターンテーブル３０が矢印Ｌ方向に揺動すると、図４に示すように、突起部３２とディスクＤのディスク中心穴Ｄｈの外周とが接触し、ターンテーブル３０が接触位置となる。さらに、ターンテーブル３０が矢印Ｌ方向に揺動すると、ディスクＤは、ディスク中心穴Ｄｈが突起部３２に接触しながら、ディスク搬送方向Ｂのうち反対側である矢印Ｍ方向に移動する。そして、図５に示すように、ディスクＤがターンテーブル３０の本体部３１のクッション材３３と接触することで、ターンテーブル３０がディスクＤと係合し、ターンテーブル３０が係合位置となる。このとき、ディスクガイド４のディスク搬送方向Ｂにおける支持軸側と反対側の端部４ｃとターンテーブル３０により係合されたディスクＤのディスク搬送方向Ｂにおける支持軸側と反対側の端部Ｄｓとが接触することはない。これは、ターンテーブル３０の係合時中心Ｙから上記端部４ｃまでの距離Ｒ２は、この係合時中心Ｙから係合されているディスクＤの上記端部Ｄｓまでの距離であるディスクＤの半径Ｄｒとほぼ同一、すなわち若干大きいからである。従って、ディスクガイド４内に載置されたディスクＤとターンテーブル３０とが係合するためにこのディスクＤは、このディスクガイド４内をディスク搬送方向Ｂのうち反対側へ移動することができるため、ターンテーブル３０がディスクＤと確実に係合することができる。
【００２５】
次に、ターンテーブル３０がディスクＤと係合した状態から、さらにこのターンテーブル３０が矢印Ｌ方向に揺動すると、図示しないクランパーがターンテーブル３０の突起部３２と接触し、このクランパーが突起部３２に、例えば磁力により保持される。これにより、ターンテーブル３０は、図６に示すように、ディスクＤをクランプし、このターンテーブル３０がクランプ位置となる。このとき、クランプされたディクスＤの中心Ｄｃは、ターンテーブル３０のクランプ時中心Ｘと一致し、ディスクガイド４の中心Ｃ１とも一致する。従って、ディスクＤのディスク搬送方向Ｂにおける支持軸側の端部Ｄｔは、ディスクガイド４の載置領域Ｅの内側、すなわちディスク搬送方向Ｂにおける支持軸側と反対側に位置し、この端部Ｄｔがディスクガイド４のディスク搬送方向における支持軸側にはみ出した状態とはならない。
【００２６】
次に、ディスク回転駆動装置４０により、ターンテーブル３０が回転駆動することで、このターンテーブル３０にクランプされたディスクＤが回転駆動する。そして、光ピックアップ６０により、回転駆動しているディスクＤに記録されている情報を再生、あるいは回転駆動しているディスクＤに情報を記録する。
【００２７】
次に、ディスクＤの回転駆動を終了し、このディスクＤをディスクトレイ１−１に再び載置する場合は、同図に示すように、テーブル揺動装置５０のモータ５３により、台座部５１が図示しない支持軸５２を中心に矢印Ａ方向に揺動を開始し、それとともにターンテーブル３０も図示しない支持軸５２を中心に矢印Ａ方向に揺動を開始する。これにより、ターンテーブル３０がディスクＤをクランプする状態が解除され、ターンテーブル３０がディスクＤと係合する状態となる。
【００２８】
さらに、ターンテーブル３０が矢印Ａ方向に揺動すると、係合されたディスクＤは、ディスクガイド４に向かって移動する。そして、図５に示すように、まず、ディスクＤの端部Ｄｓがディスクガイド４の底部４ｄと接触する。このとき、ディスクＤのディスク搬送方向Ｂにおける支持軸側の端部Ｄｔは、上述のようにターンテーブル３０がディスクＤをクランプした状態において、ディスクガイド４のディスク搬送方向における支持軸側にはみ出した状態とはならないので、ディスクＤがディスクガイド４内に収まり、このディスクガイド４に乗り上げることを抑制することができる。
【００２９】
次に、ディスクＤの端部Ｄｓがディスクガイド４の底部４ｄと接触した状態から、さらにこのターンテーブル３０が矢印Ａ方向に揺動すると、図４および図３に示すように、ディスクＤの端部Ｄｔもディスクガイド４の底部４ｄと接触する。これにより、ディスクＤとターンテーブル３０との係合が解除され、すなわちディスクＤがターンテーブル３０から解放される。従って、ターンテーブル３０がディスクＤをクランプする状態が解除された際、すなわちターンテーブル３０がディスクＤと係合する状態となった際に、ディスクＤがディスクガイド４に乗り上げることを抑制することができるので、ターンテーブル３０から解放されたディスクＤがディスクガイド４に乗り上げることを抑制することができる。
【００３０】
以上のように、この実施の形態１によれば、ディスクガイド４は、ターンテーブル３０のクランプ時中心Ｘに中心Ｃ１を有し、かつディスクＤの半径Ｄｒにターンテーブル３０の係合時中心Ｙからクランプ時中心Ｘまでの距離Ｈ１を加えた距離とほぼ同一の距離を半径Ｒ１とする円に基づいて形成されており、これはディスクガイド４により形成される載置領域Ｅがターンテーブルの係合時中心Ｙに中心を有し、かつディスクＤの半径Ｄｒにほぼ相当する半径を有する第１の円の領域Ｆと、ターンテーブル３０のクランプ時中心Ｘに中心を有し、かつディスクＤの半径Ｄｒにほぼ相当する半径を有する第２の円の領域Ｇとを合わせた領域を含むので、ターンテーブルがディスクと確実に係合することができるとともに、ターンテーブルから解放されたディスクがディスクガイドに乗り上げることを抑制することができる。
【００３１】
（実施の形態２）
図８は、実施の形態２にかかるディスクトレイを備えるディスク装置の構成例を示す図である。図９は、クランプ位置におけるターンテーブルとディスクとの関係を示す一部断面図である。図１０は、実施の形態２にかかるディスクガイドの載置領域を示す図である。この実施の形態２にかかるディスクトレイ１−２と実施の形態１にかかるディスクトレイ１−１とが異なる点は、ディスクトレイ１−２のディスクガイド６は、１つの円に基づいて形成されるディスクガイド４と異なり、２つの円に基づいて形成される点である。なお、実施の形態２にかかるディスクトレイ１−２およびディスク装置１０は、実施の形態１にかかるディスクトレイ１−１およびディスク装置１０と基本的構成は、ほぼ同様であるので説明は省略する。
【００３２】
ディスクガイド６は、ディスクガイド６のクランプ時中心Ｘよりもディスク搬送方向Ｂのうち支持軸側がターンテーブル３０のクランプ時中心Ｘに中心Ｃ２を有し、かつディスクＤの半径Ｄｒとほぼ同一の距離、すなわち若干大きい距離を半径Ｒ３とする円（第１の円）と、ディスクガイド６のクランプ時中心Ｘよりもディスク搬送方向Ｂのうち支持軸側と反対側がターンテーブル３０の係合時中心Ｙに中心Ｃ３を有し、かつディスクＤの半径Ｄｒとほぼ同一の距離、すなわち若干大きい距離を半径Ｒ４とする円（第２の円）とに基づいて形成されている。つまり、図１０に示すように、ディスクガイド６により形成されるディスクＤを載置する載置領域Ｎ（ディスクトレイ１−２に開口部５が形成されていないと仮定する場合の載置領域であり、同図では、実線と二点鎖線とを合わせた領域）は、ターンテーブル３０の係合時中心Ｙに中心を有し、かつディスクＤの半径Ｄｒに甫母相当する半径を有する第１の円の領域Ｆ（同図では、一点鎖線）と、ターンテーブル３０のクランプ時中心Ｘに中心を有し、かつディスクＤの半径Ｄｒにほぼ相当する半径を有する第二の円の領域Ｇ（同図では、一点鎖線）と、合わせた領域を含むものとなる。
【００３３】
また、ディスクガイド６には、図８に示すように、ディスクトレイ１−２が直交方向Ｋに対向する２つの長さ方向ストレート部６ａ（以下、単に「ストレート部６ａ」とも称する）が形成されている。このストレート部６ａは、ディスク搬送方向Ｂに延在するように形成されている。この対向するストレート部６ａは、図１０に示すように、２つのストレート部６ａの間の距離である幅Ｗ２がディスクトレイ６を形成する２つの円のいずれか一方の直径（Ｒ３×２，Ｒ４×２）未満で、載置されるディスクＤの直径以上となるように形成されることが好ましい。これにより、直交方向Ｋにおけるディスクガイド６とディスクＤとの間隔を狭くすることができ、ディスクガイド６内に載置されたディスクＤの直交方向Ｋへの移動を規制することができるので、ターンテーブル３０に対するディスクトレイ１−２のディスクガイド６に載置されたディスクＤが直交方向Ｋへずれることを抑制することができる。また、ディスクガイド６に載置されるディスクＤが直交方向Ｋにおいてディスクガイド６に乗り上げることを抑制することができる。
【００３４】
次に、実施の形態２にかかるディスク装置１０の動作について説明する。なお、この実施の形態２におけるディスク装置１０の動作は、実施の形態１にかかるディスク装置１０の動作と基本的部分はほぼ同一であるので、省略して説明する。ターンテーブル３０が係合位置となる際には、ディスクガイド６のディスク搬送方向Ｂにおける支持軸側と反対側の端部６ｂと係合されたディスクＤの端部Ｄｓとが接触することはない。これは、ターンテーブル３０の係合時中心Ｙから上記端部６ｂまでの距離Ｒ４は、この係合時中心Ｙから係合されているディスクＤの上記端部Ｄｓまでの距離であるディスクＤの半径Ｄｒとほぼ同一、すなわち若干大きいからである。従って、ディスクガイド６内に載置されたディスクＤとターンテーブル３０とが係合するために、このディスクＤがこのディスクガイド６内をディスク搬送方向Ｂのうち反対側へ移動することができるため、ターンテーブル３０がディスクＤと確実に係合することができる。
【００３５】
次に、図９に示すように、ターンテーブル３０がクランプ位置となる際には、クランプされたディクスＤの中心Ｄｃは、ターンテーブル３０のクランプ時中心Ｘと一致し、ディスクガイド６の中心Ｃ２とも一致する。従って、ディスクＤの端部Ｄｔは、ディスクガイド６の載置領域Ｎの内側、すなわちディスク搬送方向Ｂにおける支持軸側と反対側に位置し、この端部Ｄｔがディスクガイド６のディスク搬送方向における支持軸側にはみ出した状態とはならない。
【００３６】
次に、ターンテーブル３０が接触位置に戻る際には、ディスクＤの端部Ｄｔは、上述のようにターンテーブル３０がディスクＤをクランプした状態において、ディスクガイド６のディスク搬送方向における支持軸側にはみ出した状態とはならない。従って、ディスクＤがディスクガイド６内に収まり、このディスクガイド４に乗り上げることを抑制することができるので、ターンテーブル３０から解放されたディスクＤがディスクガイド６に乗り上げることを抑制することができる。
【００３７】
以上のように、この実施の形態によれば、ディスクガイド６は、ディスクガイド６のクランプ時中心Ｘよりもディスク搬送方向Ｂのうち支持軸側がターンテーブル３０のクランプ時中心Ｘに中心Ｃ２を有し、かつディスクＤの半径Ｄｒとほぼ同一の距離、すなわち若干大きい距離を半径Ｒ３とする円と、ディスクガイド６のクランプ時中心Ｘよりもディスク搬送方向Ｂのうち支持軸側と反対側がターンテーブル３０の係合時中心Ｙに中心Ｃ３を有し、かつディスクＤの半径Ｄｒとほぼ同一の距離、すなわち若干大きい距離を半径Ｒ４とする円とに基づいて形成されており、これはディスクガイド６により形成される載置領域Ｎがターンテーブルの係合時中心Ｙに中心を有し、かつディスクＤの半径Ｄｒにほぼ相当する半径を有する第１の円の領域Ｆと、ターンテーブル３０のクランプ時中心Ｘに中心を有し、かつディスクＤの半径Ｄｒにほぼ相当する半径を有する第２の円の領域Ｇとを合わせた領域を含むので、ターンテーブルがディスクと確実に係合することができるとともに、ターンテーブルから解放されたディスクがディスクガイドに乗り上げることを抑制することができる。
【００３８】
また、この実施の形態１あるいは２のディスクトレイ１−１，１−２を用いてディスク装置１０を構成するので、ターンテーブル３０がディスクＤと確実に係合することができるとともに、ターンテーブル３０から解放されたディスクＤがディスクガイド４に乗り上げることを抑制することができる。
【図面の簡単な説明】
【００３９】
【図１（ａ）】従来のディスク装置を示す図である。
【図１（ｂ）】従来のディスク装置の問題点を示す図である。
【図２】実施の形態１にかかるディスクトレイを備えるディスク装置の構成例を示す図である。
【図３】基準位置におけるターンテーブルとディスクとの関係を示す一部断面図である。
【図４】接触位置におけるターンテーブルとディスクとの関係を示す一部断面図である。
【図５】係合位置におけるターンテーブルとディスクとの関係を示す一部断面図である。
【図６】クランプ位置におけるターンテーブルとディスクとの関係を示す一部断面図である。
【図７】実施の形態１にかかるディスクガイドの載置領域を示す図である。
【図８】実施の形態２にかかるディスクトレイを備えるディスク装置の構成例を示す図である。
【図９】クランプ位置におけるターンテーブルとディスクとの関係を示す一部断面図である。
【図１０】実施の形態２にかかるディスクガイドの載置領域を示す図である。
【符号の説明】
【００４０】
１−１，１−２  ディスクトレイ
３  ディスクガイド
４  ディスクガイド
４ａ  長さ方向ストレート部
４ｂ  幅方向ストレート部
５  開口部
６  ディスクガイド
６ａ  長さ方向ストレート部
１０  ディスク装置
２０  トレイ駆動装置（トレイ駆動手段）
３０  ターンテーブル
４０  ディスク回転駆動装置（ディスク回転駆動手段）
５０  テーブル揺動装置（テーブル揺動手段）
６０  光ピックアップ（再生手段）
７０  枠体
【図１（ａ）】
2006107605.tif 000003
【図１（ｂ）】
2006107605.tif 000004
【図２】
2006107605.tif 000005
【図３】
2006107605.tif 000006
【図４】
2006107605.tif 000007
【図５】
2006107605.tif 000008
【図６】
2006107605.tif 000009
【図７】
2006107605.tif 000010
【図８】
2006107605.tif 000011
【図９】
2006107605.tif 000012
【図１０】
2006107605.tif 000013